(57)【要約】【課題】浴槽とエプロンの固定部分の段差を抑制しつつ、浴槽とエプロンとの固定強度を向上させる。【解決手段】浴槽とエプロンの固定構造Ｓ１は、浴槽１０の側面の少なくとも一部を被覆可能なエプロン本体部１８、及びエプロン本体部１８から上方へ延在するエプロン固定部２０を有するエプロン１２と、浴槽１０の上部周縁のフランジ部３０から下方に延び、エプロン固定部２０に被さって重なる浴槽固定部１４と、少なくとも浴槽固定部１４を貫通し、浴槽固定部１４とエプロン固定部２０とを互いに固定すると共に、浴槽固定部１４から浴槽１０側の反対側に突出しないねじ１６（固定部材）と、を備え、浴槽固定部１４と、エプロン本体部１８のうち浴槽固定部１４の下方に隣接する部位とが面一とされる。【選択図】図１
2018029651.tif 000002
【特許請求の範囲】
【請求項１】
浴槽の側面の少なくとも一部を被覆可能なエプロン本体部、及び前記エプロン本体部から上方へ延在するエプロン固定部を有するエプロンと、
前記浴槽の上部周縁のフランジ部から下方に延び、前記エプロン固定部に被さって重なる浴槽固定部と、
少なくとも前記浴槽固定部を貫通し、前記浴槽固定部と前記エプロン固定部とを互いに固定すると共に、前記浴槽固定部から前記浴槽側の反対側に突出しない固定部材と、を備え、
前記浴槽固定部と、前記エプロン本体部のうち前記浴槽固定部の下方に隣接する部位とが面一とされる浴槽とエプロンの固定構造。
【請求項２】
前記浴槽固定部には、前記浴槽側に凹む凹部が形成され、
前記凹部には、前記凹部を埋める補助部材が配置され、
前記固定部材は、ねじであり、
前記補助部材には、前記ねじが通される貫通孔と、前記貫通孔の縁に形成され前記ねじの頭部が納まる座ぐり部とが形成されている、請求項１に記載の浴槽とエプロンの固定構造。
【請求項３】
前記補助部材は、前記エプロン固定部の下端に達していない請求項２に記載の浴槽とエプロンの固定構造。
【請求項４】
前記補助部材は、前記浴槽固定部における前記凹部を除く一般部、及び前記エプロン本体部と面一とされる請求項２又は請求項３に記載の浴槽とエプロンの固定構造。
【発明の詳細な説明】
【技術分野】
【０００１】
本発明は、浴槽とエプロンの固定構造に関する。
【背景技術】
【０００２】
特許文献１の図２には、浴槽と洗い場との間の両側の上部で、断面Ｌ字状の連結金具を、浴槽から延びる突出部とエプロンの側部立ち上がり壁とに跨がるように配置し、該連結金具をビスにより突出部と側部立ち上がり壁とに固定する構造が開示されている。
【先行技術文献】
【特許文献】
【０００３】
【特許文献１】特開平１０−３７４９８号公報
【発明の概要】
【発明が解決しようとする課題】
【０００４】
しかしながら、上記した従来例では、浴槽側とエプロン側とが連結金具を介して固定される構造であるため、固定強度の点で改善の余地がある。
【０００５】
本発明は、浴槽とエプロンの固定部分の段差を抑制しつつ、浴槽とエプロンとの固定強度を向上させることを目的とする。
【課題を解決するための手段】
【０００６】
第１の態様に係る浴槽とエプロンの固定構造は、浴槽の側面の少なくとも一部を被覆可能なエプロン本体部、及び前記エプロン本体部から上方へ延在するエプロン固定部を有するエプロンと、前記浴槽の上部周縁のフランジ部から下方に延び、前記エプロン固定部に被さって重なる浴槽固定部と、少なくとも前記浴槽固定部を貫通し、前記浴槽固定部と前記エプロン固定部とを互いに固定すると共に、前記浴槽固定部から前記浴槽側の反対側に突出しない固定部材と、を備え、前記浴槽固定部と、前記エプロン本体部のうち前記浴槽固定部の下方に隣接する部位とが面一とされる。
【０００７】
この浴槽とエプロンの固定構造では、浴槽の上部周縁のフランジ部から下方に延びる浴槽固定部が、エプロン本体部から上方へ延在するエプロン固定部に被さって重なっている。この状態で、浴槽固定部とエプロン固定部とは、少なくとも浴槽固定部を貫通する固定部材により互いに固定されている。浴槽とエプロンとが直接固定されているので、他の部材を介して連結する場合と比較して、固定強度が向上している。また、固定部材が浴槽固定部から浴槽側の反対側に突出しておらず、かつ浴槽固定部と、エプロン本体部のうち浴槽固定部の下方に隣接する部位とが面一とされているので、浴槽とエプロンの固定部分に段差が形成されることが抑制される。
【０００８】
第２の態様は、第１の態様に係る浴槽とエプロンの固定構造において、前記浴槽固定部には、前記浴槽側に凹む凹部が形成され、前記凹部には、前記凹部を埋める補助部材が配置され、前記固定部材は、ねじであり、前記補助部材には、前記ねじが通される貫通孔と、前記貫通孔の縁に形成され前記ねじの頭部が納まる座ぐり部とが形成されている。
【０００９】
この浴槽とエプロンの固定構造では、固定部材としてのねじにより、浴槽固定部の凹部を埋める補助部材と、浴槽固定部と、エプロン固定部とが互いに固定されている。ねじの頭部は、補助部材に設けられた座ぐり部に収まるので、補助部材から突出しない。補助部材に座ぐり部が形成されていても、該補助部材、浴槽固定部、及びエプロン固定部の３つの部材が重なっているので、固定強度が更に向上する。
【００１０】
第３の態様は、第２の態様に係る浴槽とエプロンの固定構造において、前記補助部材が、前記エプロン固定部の下端に達していない。
【００１１】
この浴槽とエプロンの固定構造では、補助部材がエプロン固定部の下端に達していないので、浴槽固定部の下端とエプロン本体部との間での止水処理が可能となる。
【００１２】
第４の態様は、第２の態様又は第３の態様に係る浴槽とエプロンの固定構造において、前記補助部材が、前記浴槽固定部における前記凹部を除く一般部、及び前記エプロン本体部と面一とされる。
【００１３】
この浴槽とエプロンの固定構造では、補助部材が、浴槽固定部の一般部、及びエプロン本体部と面一とされているので、浴槽とエプロンとの固定部分の段差を抑制しつつ、浴槽とエプロンとの固定部分の固定強度を向上させることができる。このため、これらの面一の部位と、該部位に隣接して配置される壁部との間の止水処理が容易となる。
【発明の効果】
【００１４】
本発明に係る浴槽とエプロンの固定構造によれば、浴槽とエプロンの固定部分の段差を抑制しつつ、浴槽とエプロンとの固定強度を向上させることができる。
【図面の簡単な説明】
【００１５】
【図１】第１実施形態に係る浴槽とエプロンの固定構造を示す分解斜視図である。
【図２】第１実施形態に係る浴槽とエプロンの固定構造を示す斜視図である。
【図３】第１実施形態に係る浴槽とエプロンの固定構造を示す、図２における３−３矢視拡大断面図である。
【図４】第２実施形態に係る浴槽とエプロンの固定構造を示す断面図である。
【発明を実施するための形態】
【００１６】
以下、本発明を実施するための形態を図面に基づき説明する。
【００１７】
［第１実施形態］
図１から図３において、本実施形態に係る浴槽とエプロンの固定構造Ｓ１は、例えば浴槽１０と洗い場（図示せず）とを備えたユニットルームに用いられる。この浴槽とエプロンの固定構造Ｓ１は、エプロン１２と、浴槽固定部１４と、固定部材の一例たるねじ１６と、を備えている。
【００１８】
図１において、エプロン１２は、浴槽１０側と洗い場側との間に配置される樹脂パネル部材であり、浴槽１０の側面の少なくとも一部を被覆可能なエプロン本体部１８、及びエプロン本体部１８から上方へ延在するエプロン固定部２０を有している。
【００１９】
エプロン本体部１８は、例えば浴槽１０の長手方向（矢印Ｌ方向）に延びるパネル部である。この長手方向において、エプロン本体部１８の両端部２２は、浴槽１０側と反対側に突出している。これにより、エプロン本体部１８は、平面視で略Ｕ字形に形成されている。両端部２２の間に別のエプロン（図示せず）が取り付けられてもよい。この場合、エプロン１２は別のエプロンの内側に位置する内側エプロンとなり、別のエプロンは外側エプロンとなる。
【００２０】
エプロン固定部２０は、エプロン本体部１８の両端部２２から上方へ延在する、エプロン１２側の固定部であり、両端部２２の洗い場側縦面２２Ａより浴槽１０側に近い縦面２０Ａを有している。洗い場側縦面２２Ａと縦面２０Ａとは、段差形状をなしている。この段差形状は、エプロン固定部２０に後述する浴槽固定部１４が被さることを考慮して設けられている。両端部２２の上面２２Ｃは、浴槽固定部１４の下端（後述する一般部１４Ｂの下端）に近接対向、又は当接する。縦面２０Ａの下端には、上記段差形状の中間的な高さを有する中間段差２４が設けられている。エプロン固定部２０の上端には、浴槽１０側に延在する上面２０Ｂが設けられている。エプロン固定部２０と浴槽固定部１４との間には、例えばシート状の止水部材２８が配置される。
【００２１】
エプロン本体部１８から上方には、浴槽１０の上部周縁のフランジ部３０が被さる差込み部３２が設けられている。矢印Ｌ方向における差込み部３２の両端は、エプロン固定部２０の側面２０Ｃに連なっている。差込み部３２及びエプロン固定部２０は、浴槽１０のフランジ部３０に下方から差し込まれる。差込み部３２とフランジ部３０との間には、図示しない止水部材が配置される。この止水部材は、上記した止水部材２８を、浴槽１０の長手方向（矢印Ｌ方向）に延長したものであってもよい。
【００２２】
浴槽固定部１４は、浴槽１０の上部周縁のフランジ部３０から下方に延び、エプロン固定部２０に被さって重なる、浴槽１０側の固定部位である。浴槽固定部１４は、エプロン固定部２０の位置に対応して、浴槽１０の長手方向（矢印Ｌ方向）におけるフランジ部３０の両端に設けられている。
【００２３】
浴槽固定部１４には、浴槽１０側に凹む凹部１４Ａが形成されている。この凹部１４Ａは、一般部１４Ｂに対して浴槽１０側に近い段差形状をなしている。したがって、凹部１４Ａを段差部と言い換えることもできる。また、凹部１４Ａを、後述する補助部材３４用の取付け座部と言い換えることもできる。
【００２４】
凹部１４Ａは、浴槽１０の長手方向（矢印Ｌ方向）において、浴槽固定部１４の両側に達している。また、凹部１４Ａは、浴槽固定部１４の上端に達している。しかしながら、図３に示されるように、凹部１４Ａは、浴槽固定部１４の下端には達していない。つまり、浴槽固定部１４においては、一般部１４Ｂの上側がすべて凹部１４Ａとなっており、凹部１４Ａの一辺が一般部１４Ｂと隣り合っている。なお、凹部１４Ａの構成はこれに限られず、凹部１４Ａの二辺以上が一般部１４Ｂと隣り合っていてもよい。例えば、凹部１４Ａの上下が一般部１４Ｂと隣り合っていてもよく、凹部１４Ａが一般部１４Ｂで囲まれていてもよい。この場合、補助部材３４の位置合わせが容易になり、また補助部材３４の位置ずれを抑制できる。
【００２５】
凹部１４Ａには、凹部１４Ａを埋める補助部材３４が配置されている。補助部材３４は、例えば矩形の補強板である。補助部材３４の材質は、例えばステンレス鋼や樹脂である。補助部材３４の寸法は、凹部１４Ａの寸法に対応している。補助部材３４の厚さは、凹部１４Ａの深さ（一般部１４Ｂと凹部１４Ａとの高低差）に略一致している。補助部材３４には、ねじ１６が通される貫通孔３４Ａと、貫通孔３４Ａの縁に形成されねじ１６の頭部１６Ａが納まる座ぐり部３４Ｂとが形成されている。これにより、ねじ１６は、浴槽固定部１４の凹部１４Ａから浴槽１０側の反対側（洗い場側）に突出しないようになっている。
【００２６】
本実施形態では、補助部材３４に、ねじ１６よりも短いねじ１７が通される貫通孔３４Ｃが、貫通孔３４Ａの上側に並んで形成されている。貫通孔３４Ｃの縁には、ねじ１７の頭部１７Ａが納まる座ぐり部３４Ｄが形成されている。ねじ１６，１７の呼び径が同じである場合、貫通孔３４Ａ，３４Ｃの構成は互いに同一であり、座ぐり部３４Ｂ，３４Ｄの構成も互いに同一となる。
【００２７】
ねじ１６は、少なくとも浴槽固定部１４における凹部１４Ａを貫通し、浴槽固定部１４とエプロン固定部２０とを互いに固定する、例えば皿ねじである。図３に示されるように、ねじ１６は、エプロン固定部２０に達する長さを有している。本実施形態では、ねじ１６に加えてねじ１７が用いられている。ねじ１７は、補助部材３４を浴槽固定部１４に固定する部材であり、ねじ１６の上方で浴槽固定部１４に螺合している。ねじ１７は、エプロン固定部２０には達していない。なお、２本のねじ１６を用いて浴槽固定部１４とエプロン固定部２０とを互いに固定してもよい。この場合、短いねじ１７を用いなくてもよい。
【００２８】
図３に示されるように、補助部材３４は、浴槽固定部１４における凹部１４Ａを除く一般部１４Ｂ、及びエプロン本体部１８と面一とされる。具体的には、補助部材３４は、エプロン本体部１８の両端部２２における洗い場側縦面２２Ａと面一とされる。面一とは、各部位間に段差がなくフラットなことを意味する。
【００２９】
浴槽固定部１４において、凹部１４Ａは浴槽固定部１４の下端（一般部１４Ｂの下端１４Ｃ）には達していない。これに伴い、凹部１４Ａを埋める補助部材３４も、浴槽固定部１４の下端には達していない。換言すれば、補助部材３４は、エプロン固定部２０の下端、具体的には中間段差２４に達していない。凹部１４Ａの下側には一般部１４Ｂが設けられており、一般部１４Ｂの下端１４Ｃと、エプロン本体部１８における両端部２２の上端面２２Ｂとが、例えば止水部材２８を挟んで上下に隣接している。この下端１４Ｃと上端面２２Ｂの間に、更にコーキング等の止水処理を施してもよい。
【００３０】
図３において、補助部材３４、一般部１４Ｂ、洗い場側縦面２２Ａにかけての面一の部位に隣接して、ユニットルームの壁部３６が配置される。
【００３１】
（作用）
本実施形態は、上記のように構成されており、以下その作用について説明する。図１から図３において、本実施形態に係る浴槽とエプロンの固定構造Ｓ１では、浴槽１０の上部周縁のフランジ部３０から下方に延びる浴槽固定部１４が、エプロン本体部１８から上方へ延在するエプロン固定部２０に被さって重なっている。この状態で、浴槽固定部１４とエプロン固定部２０とは、少なくとも浴槽固定部１４を貫通する固定部材としてのねじ１６により互いに固定されている。
【００３２】
具体的には、浴槽固定部１４の凹部１４Ａを埋める補助部材３４と、浴槽固定部１４と、エプロン固定部２０とが、ねじ１６により互いに固定されている。浴槽１０とエプロン１２とが直接固定されているので、他の部材を介して連結する場合と比較して、固定強度が向上している。補助部材３４に座ぐり部３４Ａが形成されていても、該補助部材３４、浴槽固定部１４、及びエプロン固定部２０の３つの部材が重なっているので、固定強度が向上している。
【００３３】
また、ねじ１６の頭部１６Ａは、補助部材３４に設けられた座ぐり部に３４Ａ収まるので、補助部材３４から突出しない。補助部材３４は、浴槽固定部１４の一般部１４Ｂ、及びエプロン本体部１８の両端部２２における洗い場側縦面２２Ａと面一とされているので、浴槽１０とエプロン１２との固定部分の段差を抑制することができる。このため、これらの面一の部位と、該部位に隣接して配置される壁部３６（図３）との間の止水処理が容易となる。
【００３４】
更に、補助部材３４がエプロン固定部２０の下端に達していないので、浴槽固定部１４の下端（一般部１４Ｂの下端１４Ｃ）と、エプロン本体部１８（両端部２２の上端面２２Ｂ）との間での止水処理が可能となる。
【００３５】
［第２実施形態］
図４において、本実施形態に係る浴槽とエプロンの固定構造Ｓ２では、浴槽固定部１４と、エプロン本体部１８のうち浴槽固定部１４の下方に隣接する部位とが面一とされている。第１実施形態の補助部材３４は用いられていない。具体的には、浴槽固定部１４には凹部１４Ａ（図１）が形成されていない。エプロン本体部１８のうち浴槽固定部１４の下方に隣接する部位は、例えば、エプロン本体部１８の両端部２２における洗い場側縦面２２Ａである。したがって、浴槽固定部１４は、この洗い場側縦面２２Ａと面一とされている。
【００３６】
浴槽固定部１４には、ねじ１６が通される例えば２つの貫通孔３８が上下に並んで形成され、貫通孔３８の縁にねじ１６の頭部１６Ａが納まる座ぐり部４０がそれぞれ形成されている。ねじ１６は、浴槽固定部１４を貫通し、エプロン固定部２０に螺合している。これにより、浴槽固定部１４とエプロン固定部２０とが互いに固定されている。
【００３７】
本実施形態では、浴槽固定部１４とエプロン本体部１８とが面一とされているので、浴槽１０とエプロン１２の固定部分に段差が形成されることが抑制される。また、浴槽固定部１４とエプロン固定部２０とが重なった状態で相互に固定されているので、他の部材を介して連結されている場合と比較して、固定強度が向上している。
【００３８】
他の部分については、第１実施形態と同様であるので、同一の部分には図面に同一の符号を付し、説明を省略する。
【００３９】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００４０】
固定部材の一例としてねじ１６を挙げたが、固定部材はこれに限られるものではなく、浴槽固定部１４とエプロン固定部２０とを相互に固定でき、かつ浴槽固定部１４から浴槽１０側と反対側（洗い場側）に突出しないものであればよい。固定部材として、例えばクリップ等の部材を用いてもよい。
【００４１】
補助部材３４がエプロン固定部２０の下端に達していないものとしたが、浴槽固定部１４とエプロン固定部２０との間の止水処理に不都合がなければ、補助部材３４がエプロン固定部２０の下端に達していてもよい。
【００４２】
補助部材３４が浴槽固定部１４における一般部１４Ｂ、及びエプロン本体部１８と面一とされるものとしたが、これらの部位と壁部３６との間の止水処理に不都合がなければ、これらの部位が面一となっていなくてもよい。
【符号の説明】
【００４３】
１０…浴槽、１２…エプロン、１４…浴槽固定部、１４Ａ…凹部、１４Ｃ…下端、１６…ねじ（固定部材）、１６Ａ…頭部、１８…エプロン本体部、２０…エプロン固定部、２２Ａ…洗い場側縦面（浴槽固定部の下方に隣接する部位）、３０…フランジ部、３４…補助部材、３４Ａ…貫通孔、３４Ｂ…座ぐり部、Ｓ１…浴槽とエプロンの固定構造、Ｓ２…浴槽とエプロンの固定構造
【図１】
2018029651.tif 000003
【図２】
2018029651.tif 000004
【図３】
2018029651.tif 000005
【図４】
2018029651.tif 000006